(57)【特許請求の範囲】
【請求項１】
側端折曲部と側端シール部と上端シール部と下端シール部で周縁を囲まれた三方シール形式の軟質包装袋と、
前記軟質包装袋の前記側端シール部に沿って延在するように板紙に設けた第１の折曲部と、前記軟質包装袋の前記側端折曲部に沿って延在するように板紙に設けた第２の折曲部とにより構成された一対の折曲部で折り曲げて前記軟質包装袋に固定され、前記軟質包装袋の前後両面の外周の少なくとも一部を覆う外装体と、を備える複合容器において、
前記外装体は、前記第２の折曲部のみに沿って押し込み部を前記外装体の前後両面に渡って設けたことを特徴とする、複合容器。
【請求項２】
前記軟質包装袋は、前記側端シール部の周縁に開封用切欠が形成され、前記開封用切欠が前記第１の折曲部の上端より上方に形成されたことを特徴とする、請求項１に記載の複合容器。
【請求項３】
前記押し込み部は、
前記第２の折曲部を対称軸として左右対称に構成され、前記外装体の上方から下方まで延在する一対の山折り部と、
前記第２の折曲部と交差しながら、前記一対の山折り部の間を延在する谷折り部とを有することを特徴とする、請求項１又は２に記載の複合容器。
【請求項４】
前記押し込み部の少なくとも上端に、水平スリットを設けることを特徴とする、請求項１から３のいずれか一項に記載の複合容器。
【請求項５】
前記外装体は、前記軟質包装袋の下端まで延在することを特徴とする、請求項１から３のいずれか一項に記載の複合容器。
【請求項６】
前記押し込み部は、
前記第２の折曲部を対称軸として左右対称に構成され、前記外装体の上端から下端まで延在する一対の山折り部と、
前記外装体の上方に前記第２の折曲部と交差しながら、前記一対の山折り部の間を延在する２本の谷折り線を有することを特徴とする、請求項５に記載の複合容器。
【発明の詳細な説明】
【技術分野】
【０００１】
本発明は、複合容器に関する。
【背景技術】
【０００２】
従来から、板紙の剛性を利用して軟質包装袋を開口させた状態に維持する容器が、公知のものとして多数存在する。例えば、特許文献１の複合容器では、軟質包装袋の外面に接着固定されたスリーブ材の一対の折曲部近傍に、それぞれ略くの字状又は略円弧状の押し込み外折れ線を有する押し込み部を設け、該外折れ線で軟質包装袋の開口状態を維持するように構成したものがある。
【０００３】
【先行技術文献】
【特許文献】
【０００４】
【特許文献１】特開２００６−２４０６７０号公報
【発明の概要】
【発明が解決しようとする課題】
【０００５】
しかしながら、左右両側に押し込み部を設ける構成では、内容物が残り少なくなった場合に、大きく変形した中央領域に内容物を集めることが困難で、開口部分に指を差し入れても内容物を簡単に取り出すことができないという問題がある。また、複合容器を傾けて内容物を外側に出す場合には、開口の小さい上部の左右両側が内容物の通過を阻害するという問題もある。さらに、軟軟質包装袋の幅寸法が小さくなると、外装体を変形させるのに必要な押し込み領域を確保することができず、製造可能な複合容器の種類が制限されてしまうという問題がある。
【０００６】
したがって、本発明は、内容物が残り少なくなっても、内容物の通過を阻害することがないように軟質包装袋が開口し、また、軟質包装袋の幅寸法に左右されることなく、多種多様に製造することができる複合容器を提供することを課題とする。
【課題を解決するための手段】
【０００７】
かかる課題を解決するための手段として、本発明は、側端折曲部と側端シール部と上端シール部と下端シール部で周縁を囲まれた三方シール形式の軟質包装袋と、
前記軟質包装袋の前記側端シール部に沿って延在するように板紙に設けた第１の折曲部と、前記軟質包装袋の前記側端折曲部に沿って延在するように板紙に設けた第２の折曲部とにより構成された一対の折曲部で折り曲げて前記軟質包装袋に固定され、前記軟質包装袋の前後両面の外周の少なくとも一部を覆う外装体と、を備える複合容器において、
前記外装体は、前記第２の折曲部のみに沿って押し込み部を前記外装体の前後両面に渡って設けた。
【０００８】
前記軟質包装袋は、前記側端シール部の周縁に開封用切欠が形成され、前記開封用切欠が前記第１の折曲部の上端より上方に形成されることが好ましい。
前記押し込み部は、前記第２の折曲部を対称軸として左右対称に構成され、前記外装体の上方から下方まで延在する一対の山折り部と、前記第２の折曲部と交差しながら、前記一対の山折り部の間を延在する谷折り部とを有するのが好ましい。
【０００９】
前記押し込み部の少なくとも上端に、水平スリットを設けるのが好ましい。
【００１０】
前記外装体は、前記軟質包装袋の下端まで延在するのが好ましい。
【００１１】
前記押し込み部は、前記第２の折曲部を対称軸として左右対称に構成され、前記外装体の上端から下端まで延在する一対の山折り部と、前記外装体の上方に前記第２の折曲部と交差しながら、前記一対の山折り部の間を延在する２本の谷折り線を有するのが好ましい。
【発明の効果】
【００１２】
本発明によれば、左右両側のいずれか一方を大きく開口させた状態を維持するので、内容物の量が残り少なくなっても、開口の大きい方に内容物を寄せ集めて、その開口に指を差し入れたり、容器自体を傾けたりすれば、内容物を取り出したり、そのまま他の容器等に容易に移し替えることが可能である。また、軟質包装袋の幅寸法が小さくても、外装体の変形に必要な押し込み領域を確保することができ、その結果、内容物の取り出しや移し替えが容易な複合容器を多種多様に製造することが可能である。
【図面の簡単な説明】
【００１３】
【図１】本発明の第１実施形態に係る複合容器の斜視図である。
【図２】図１の複合容器を構成する軟質包装袋の斜視図である。
【図３】図１の複合容器を構成する外装体の展開図である。
【図４】押し込み部を押し込んだ状態を示す図１の複合容器の斜視図である。
【図５】本発明の第２実施形態に係る複合容器の斜視図である。
【図６】図５の複合容器を構成する外装体の展開図である。
【図７】押し込み部を押し込んだ状態を示す図５の複合容器の斜視図である。
【発明を実施するための形態】
【００１４】
以下、本発明に係る複合容器について、添付の図面を参照しながら説明することとする。
【００１５】
図１は、本発明の第１実施形態に係る複合容器１を示している。本実施形態に係る複合容器１は、略矩形状の軟質包装袋２と、該軟質包装袋２の前後両面の上方外面を覆う外装体３とからなる。
【００１６】
図２は、本発明の第１実施形態に係る複合容器１を構成する軟質包装袋２を示している。軟質包装袋２の材料は、特に限定されるものではないが、基本素材としてプラスチックフィルムないしシートを使用し、具体的には、例えば、ポリエステル系樹脂、ポリアミド系樹脂、ポリアラミド系樹脂、ポリオレフィン系樹脂、ポリカーボネート系樹脂、ポリスチレン系樹脂、ポリアセタール系樹脂、フッ素系樹脂等を使用することができる。このプラスチックフィルムないしシートとしては、未延伸フィルム、あるいは一軸方向又は二軸方向に延伸した延伸フィルムのいずれも使用することができる。ヒートシールにより製袋する際には、このような基材フィルムに加えて、ヒートシール性樹脂層を積層した積層体を使用する。本発明において、ヒートシール性樹脂層としては、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレン又はポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等のフィルムを使用することができる。なお、軟質包装袋２の形状としては、複合容器１を構成した状態で折曲部９ｂを内側に押し込む操作がスムーズに行うことができるようにするため、少なくとも一辺に折り曲げ部を有するものが好ましく、例えば、三方シール袋やピロー袋が挙げられる。
【００１７】
軟質包装袋２は、上記のような積層体を矩形状に構成したものを二つ折りにしてその内層のヒートシール性樹脂層の面を対向させ、折り曲げ部を除く周縁をヒートシールしたものである。軟質包装袋２は、周縁シール部４と開封用切欠部５とを有する。周縁シール部４は、軟質包装袋２内の収容部を規定し、収容部に収容された内容物６を軟質包装袋２内に封入する。
【００１８】
図３は、本実施形態に係る複合容器１を構成する外装体３を展開した状態を示している。外装体３は、長辺を上下に、短辺を左右に向けて配置した板紙からなる。外装体３に使用される板紙は、図３に示すように、一方の側端で連結された矩形状の前面領域７及び後面領域７’と、前面領域７の他方の側端に連結された縦長台形状の糊代フラップ８とに区画されるような形状で断裁、打ち抜き等される。
【００１９】
外装体３は、上述したように、軟質包装袋２の前後両面の上方外面を覆い、一対の折曲部９ａ，９ｂと、押し込み部１０とを有する。
【００２０】
一対の折曲部９ａ，９ｂは、前面領域７及び後面領域７’を折曲する山折り線と、前面領域７と糊代フラップ８の境界を折曲する山折り線とからなる。図３に示す展開状態から、折曲部９ａ，９ｂを山折りすることにより前面領域７及び後面領域７’を対向させ、糊代フラップ８を後面領域７’に重ね合わせて接着して、外装体３が形成される。
【００２１】
押し込み部１０は、外側に緩やかに湾曲したリーフ状の領域を規定し、水平スリット１１と、一対の山折り線１２，１２’と、谷折り線１３とを有する。水平スリット１１は、折曲部９ｂ側の上方である押し込み部１０の上端に形成され、折曲部９ｂと直交しながら、折曲部９ｂを対称軸として前面領域７及び後面領域７’のそれぞれに同一長さで延在する。なお、水平スリットは、押し込み部１０の上端のみならず下端にも設けて、外装体３の下方も大きく変形するように構成してもよい。一対の山折り線１２，１２’は、折曲部９ｂを対称軸として左右対称に構成され、外側に緩やかに湾曲しながら、水平スリット１１の端部寄りの位置から折曲部９ｂの下端まで延在する。谷折り線１３は、折曲部９ｂと直交しながら、前面側の山折り線１２のほぼ中央から後面側の山折り線１２’のほぼ中央まで水平に延在する。
【００２２】
次に、本実施形態に係る複合容器１の使用方法とその作用について説明することとする。
【００２３】
先ず、開封用切欠部５を使って軟質包装袋２の上端部分を切り取って開封する。次に、一対の折曲部９ａ，９ｂに親指とそれ以外の４本の指をそえて把持しながら、押し込み部１０のある折曲部９ｂを所定の位置まで内側に押し込むと、押し込み部１０は、折曲部９ｂを中心軸として展開し、図４に示すように、外装体３は、折曲部９ｂに向かうに従って大きく広がるように前後両面を膨出させ、その膨出状態を維持する。なお、水平スリット１１により、押し込み部１０とその上部とが分離されているため、押し込み部１０を深く押し込むことが可能であり、また、押し込み部１０を変形させた場合には、押し込んだ状態を解除することなくそのままの状態を維持することも可能である。外装体３の膨出に伴って、軟質包装袋２も変形し、左側周縁に向かうに従って大きく開口した状態を維持する。
【００２４】
上記外装体３の変形が完了すれば、使用者は、内容物６を取り出す際に、指で軟質包装袋２を押して開口させる必要がなく、通常は、大きく開口した軟質包装袋２の上部左側に指を差し入れてスティック状の内容物６を取り出せばよい。外装体３は、軟質包装袋２の上記開口状態を常に維持するので、内容物６の量が少なくなった時には、複合容器１を傾けて、膨出している左側の領域に内容物６を寄せ集めてから取り出せばよい。このように、本実施形態に係る複合容器１では、内容物の量の多少に関係なく、内容物６が取り出し易い状態を常時確保することができる。なお、内容物が粉末や球形状等である場合は、複合容器１を傾けて軟質包装袋２の開口部を通過させることになるが、この際、軟質包装袋２の上部左側が大きく開口して内容物の通過を阻害すことがないので、内容物の量を調節しながらスムーズに容器等へ移し替えることが可能である。
【００２５】
本実施形態によれば、外装体３の変形に必要な押し込み領域は、側端の一方のみに形成されるので、軟質包装袋２が細長く構成されていても、押し込み領域を設けることが可能であり、多種多様な複合容器１を製造することが可能である。
【００２６】
図５は、本発明の第２実施形態に係る複合容器１を示している。本実施形態に係る複合容器１は、外装体３の構成が異なる点を除けば、上記第１実施形態と同様であるため、同一部分については同一の参照符号を付して説明を省略することとする。
【００２７】
図６は、本実施形態に係る複合容器１を構成する外装体３を展開した状態を示している。外装体３は、長辺のうち波状に構成された辺を上に、短辺を左右に向けて配置した板紙からなる。外装体３に使用される板紙は、図６に示すように、一方の側端で連結された前面領域７及び後面領域７’と、前面領域７の他方の側端に連結された縦長台形状の糊代フラップ８とに区画されるような形状で断裁、打ち抜き等される。
【００２８】
外装体３は、軟質包装袋２の前後両面の上端側を除く外面を覆い、押し込み部１０とを有する。
【００２９】
押し込み部１０は、外側に緩やかに湾曲したリーフ状の領域を規定し、一対の山折り線１２，１２’と、上方谷折り線１３ａと、下方谷折り線１３ｂとを有する。一対の山折り線１２，１２’は、折曲部９ｂを対称軸として左右対称に構成され、外側に緩やかに湾曲しながら、折曲部９ｂの上端から折曲部９ｂの下端寄りの外装体３の下縁まで延在する。上方谷折り線１３ａは、折曲部９ｂと直交しながら、前面側の山折り線１２の上方から後面側の山折り線１２’の上方まで水平に延在する。下方谷折り線１３ｂは、上方谷折り線１３ａの下方で折曲部９ｂと直交しながら、前面側の山折り線１２のほぼ中央から後面側の山折り線１２’のほぼ中央まで水平に延在する。
【００３０】
第２実施形態に係る複合容器１については、外装体３で覆う領域が軟質包装袋２の下端まで延在しているため、押し込み部１０を押し込んで外装体３を変形させると自立可能な構成となり、テーブル等に載置することができる。このような自立機能を除けば、使用方法及びその作用は、上記第１実施形態と同様であるため、これらについての説明は省略することとする。
【００３１】
本発明に係る複合容器１については、外装体３で軟質包装袋２を覆う領域は、上述した実施形態に限定されるものではなく、例えば、外装体３で覆う領域を軟質包装袋２の上下両端まで延伸させ、軟質包装袋２外周面全体を外装体３で覆うように構成してもよい。
【符号の説明】
【００３２】
１  複合容器
２  軟質包装袋
３  外装体
４  周縁シール部
５  開封用切欠部
６  内容物
７  前面領域
７’  後面領域
８  糊代フラップ
９ａ，９ｂ  折曲部
１０  押し込み部
１１  水平スリット
１２，１２’  山折り線
１３  谷折り線
１３ａ  上方谷折り線
１３ｂ  下方谷折り線
【図１】
0005782756.tif 000002
【図２】
0005782756.tif 000003
【図３】
0005782756.tif 000004
【図４】
0005782756.tif 000005
【図５】
0005782756.tif 000006
【図６】
0005782756.tif 000007
【図７】
0005782756.tif 000008